(57)【要約】【課題】例えば電卓と称される電子式計算機において、第３者による管理を要することなく、ユーザ自身の学習レベルに合わせて利用できる機能を変化させる。【解決手段】ユーザ入力されてＲＡＭ１４ａ内の生年月日メモリ１４ａに登録された生年月日と電波時計部１５において更新管理される現在年月日とに基づき取得されたユーザの年齢から当該ユーザの学年が割り出されると共に、ＲＯＭ１３内の学年別制御プログラム１３ａ中に記憶されている学年別機能テーブルに従ってユーザの学年までに学習される計算機能が有効化される。そして有効化された計算機能以外の計算機能に対応するキー操作がなされた場合、つまりユーザの学年では未学習の計算機能に対応するキー操作がなされた場合には、当該計算処理は実行されず、キー操作位置に対応して設けられた無効キー表示ランプ１２ｅが点灯され、当該キー操作が無効であることがユーザに報知される。【選択図】      図１
2006331283.tif 000002
【特許請求の範囲】
【請求項１】
ユーザの学習レベルを判断する学習レベル判断手段と、
この学習レベル判断手段により判断されたユーザの学習レベルに応じて利用できる機能を判断するレベル別機能判断手段と、
このレベル別機能判断手段により判断されたユーザの学習レベルに応じて利用できる機能に基づき、利用できない機能をユーザに報知する報知手段と、
を備えたことを特徴とする電子式計算機。
【請求項２】
前記学習レベル判断手段により判断されるユーザの学習レベルはユーザの学年であり、当該ユーザの学年は、ユーザ操作に応じて入力された生年月日と電波時計により取得された現在年月日とに基づいて求める、
ことを特徴とする請求項１に記載の電子式計算機。
【請求項３】
前記学習レベル判断手段は、
ユーザの学習レベルを判定するための学習問題を表示部に表示させる学習問題表示制御手段を有し、
この学習問題表示制御手段により表示された学習問題に従ってユーザ操作に応じて入力された問題の回答に基づきユーザの学習レベルを判断する、
ことを特徴とする請求項１に記載の電子式計算機。
【請求項４】
前記報知手段は、利用できない機能に対応するキーをユーザに報知する、
ことを特徴とする請求項１ないし請求項３の何れか１項に記載の電子式計算機。
【請求項５】
前記利用できない機能に対応するキーの報知は、当該キーに隣接して設けられたランプの点灯によって報知する、
ことを特徴とする請求項４に記載の電子式計算機。
【発明の詳細な説明】
【技術分野】
【０００１】
本発明は、例えば教育用機器として利用され、一般に電卓と称される電子式計算機に関する。
【背景技術】
【０００２】
近年、学校などの教育現場では、生徒個々人が電卓と称される小型の電子式計算機を所有し、授業の中でも積極的に利用されるようになっている。
【０００３】
このような小型の電子式計算機（電卓）は、安価であっても多様な機能が搭載されているが、その分、不慣れなユーザには操作が複雑で難しくなり、これを扱いこなすには利用する機能に応じた相応の学習レベルが必要とされる。
【０００４】
一方で、教育現場にＬＡＮ(Local Area Network)化して配置したパーソナルコンピュータによるＧＵＩ(Graphic User Interface)において、当該ＧＵＩの多様な機能を基本的な機能に制限することで、知識や経験の少ない幼児や初学者などにＧＵＩの操作方法をスムーズに習得させ、さらに、当該幼児や初学者などの操作習得状況に応じて、管理者が上記機能制限の程度を適宜変更していくことで、操作方法を段階的に習得させることを可能とした情報処理装置が考えられている（例えば、特許文献１参照。）。
【特許文献１】特開２００３−２４８５３８号公報
【発明の開示】
【発明が解決しようとする課題】
【０００５】
しかしながら、前記従来の情報処理装置にあるように、幼児や初学者などの操作習得状況に応じて、管理者が機能制限の程度を適宜変更していくものでは、当該管理者が各ＧＵＩ使用者の操作習得状況や機能制限状況を管理する必要があるが、例えば生徒個々人が独立に所有しユーザ自身が管理者である電子式計算機（電卓）について、適切な管理を行うことはできない。
【０００６】
本発明は、このような課題に鑑みなされたもので、第３者による管理を要することなく、ユーザ自身の学習レベルに合わせて利用できる機能を変化させることが可能になる電子式計算機を提供することを目的とする。
【課題を解決するための手段】
【０００７】
請求項１に記載の電子式計算機は、ユーザの学習レベルを判断する学習レベル判断手段と、この学習レベル判断手段により判断されたユーザの学習レベルに応じて利用できる機能を判断するレベル別機能判断手段と、このレベル別機能判断手段により判断されたユーザの学習レベルに応じて利用できる機能に基づき、利用できない機能をユーザに報知する報知手段とを備えたことを特徴としている。
【０００８】
請求項２に記載の電子式計算機は、前記請求項１に記載の電子式計算機において、前記学習レベル判断手段により判断されるユーザの学習レベルはユーザの学年であり、当該ユーザの学年は、ユーザ操作に応じて入力された生年月日と電波時計により取得された現在年月日とに基づいて求めることを特徴としている。
【０００９】
請求項３に記載の電子式計算機は、前記請求項１に記載の電子式計算機において、前記学習レベル判断手段は、ユーザの学習レベルを判定するための学習問題を表示部に表示させる学習問題表示制御手段を有し、この学習問題表示制御手段により表示された学習問題に従ってユーザ操作に応じて入力された問題の回答に基づきユーザの学習レベルを判断することを特徴としている。
【００１０】
請求項４に記載の電子式計算機は、前記請求項１ないし請求項３の何れか１項に記載の電子式計算機において、前記報知手段は、利用できない機能に対応するキーをユーザに報知することを特徴としている。
【００１１】
請求項５に記載の電子式計算機は、前記請求項４に記載の電子式計算機において、前記利用できない機能に対応するキーの報知は、当該キーに隣接して設けられたランプの点灯によって報知することを特徴としている。
【発明の効果】
【００１２】
本発明の請求項１に記載の電子式計算機によれば、ユーザの学習レベルが判断されると共に、このユーザの学習レベルに応じて利用できる機能が判断され、このユーザの学習レベルに応じて利用できる機能に基づき、利用できない機能がユーザに報知されるので、多様な機能を搭載していても、ユーザが扱えない機能によって無用な混乱を招くことなく、ユーザ所望の処理を容易に行うことができる。
【００１３】
本発明の請求項２に記載の電子式計算機によれば、前記請求項１に記載の電子式計算機において、ユーザの学習レベルはユーザの学年であり、当該ユーザの学年は、ユーザ操作に応じて入力された生年月日と電波時計により取得された現在年月日とに基づいて求められるので、ユーザの生年月日を入力させるだけで、ユーザの学習レベル（学年）に応じて利用できない機能を報知させることができる。
【００１４】
本発明の請求項３に記載の電子式計算機によれば、前記請求項１に記載の電子式計算機において、ユーザの学習レベルを判定するための学習問題を表示部に表示させ、この表示された学習問題に従ってユーザ操作に応じて入力された問題の回答に基づきユーザの学習レベルが判断されるので、学習問題に応じて正しく判断されたユーザ個々人の学習レベルに応じて利用できない機能を報知させることができる。
【００１５】
本発明の請求項４に記載の電子式計算機によれば、前記請求項１ないし請求項３の何れか１項に記載の電子式計算機において、報知手段では、利用できない機能に対応するキーがユーザに報知されるので、ユーザが扱えない機能に関するキー操作によって無用な混乱を招くことなく、ユーザ所望の処理を容易に行うことができる。
【００１６】
本発明の請求項５に記載の電子式計算機によれば、前記請求項４に記載の電子式計算機において、利用できない機能に対応するキーの報知は、当該キーに隣接して設けられたランプの点灯によって行われるので、ユーザが扱えない機能に関するキーを明確に認識することができ、無用なキー操作によって混乱を招くことなく、ユーザ所望の処理を容易に行うことができる。
【００１７】
よって本発明によれば、第３者による管理を要することなく、ユーザ自身の学習レベルに合わせて利用できる機能を変化させることが可能になる電子式計算機を提供できる。
【発明を実施するための最良の形態】
【００１８】
以下図面により本発明の実施の形態について説明する。
【００１９】
（第１実施形態）
図１は、本発明の実施形態に係る電子式計算機（電卓）１０の電子回路の構成を示すブロック図である。
【００２０】
図２は、前記電子式計算機（電卓）１０の計算機制御プログラムである学年別プログラム１３ａに含まれる学年別機能テーブル１３atの内容を示す図である。
【００２１】
図３は、前記電子式計算機（電卓）１０の外観構成を示す正面図である。
【００２２】
この電子式計算装置（電卓）１０は、コンピュータ等からなる制御部（ＣＰＵ）１１を備えている。
【００２３】
制御部（ＣＰＵ）１１は、キー入力部１２から入力されるキー入力データに応じて、ＲＯＭ(EEP)１３に予め記憶されているシステムプログラムを起動させ、ＲＡＭ１４をワークメモリとして回路各部の動作制御を行なうものである。
【００２４】
この制御部（ＣＰＵ）１１には、前記キー入力部１２、ＲＯＭ１３、ＲＡＭ１４が接続され、さらに電波時計部１５、そして液晶表示部１６が接続される。
【００２５】
電波時計部１５は、例えば当該国の所定の施設から発信される標準時刻信号を受信することで、常に正確な年・月・日・曜日・時刻を更新管理するもので、この電波時計部１５による時刻管理動作に基づき現在の年・月・日・曜日・時刻の表示などが行われる。
【００２６】
この電子式計算装置１０の本体ケースに対して、キー入力部１２は正面の下部側に設けられ、液晶表示部１６はその上部側に設けられる。
【００２７】
キー入力部１２には、数値・データ入力キー１２ａ、演算子・記号キー１２ｂ、「確率」キー１２ｃ、「ＥＸＥ」キー１２ｄ等が備えられると共に、演算子・記号キー１２ｂに含まれる「．」（小数点）キー、「ａ／ｂ」（分数）キー、「％」キー、「÷」キー、「π」キー、そして「確率」キー１２ｃそれぞれの隣接位置に対し当該キー操作が無効であることを点灯表示するための無効キー表示ランプ１２ｅ（１２e1〜１２e6）が設けられる。
【００２８】
数値・データ入力キー１２ａは、数字，文字などの個々のキーを配列した数値・文字の入力用キー群からなる。
【００２９】
演算子・記号キー１２ｂは、演算式や各種公式などを入力する際に操作される「＋」「−」「×」「÷」「＝」などの各種の演算子キー群や「ａ／ｂ（分数）」「．（小数点）」「％」「π」などの各種の記号キー群からなる。
【００３０】
「確率」キー１２ｃは、確率計算を行う際に操作される。
【００３１】
「ＥＸＥ」キー１２ｄは、選択あるいは入力されたデータの確定や各種機能の実行を指示する際に操作される。
【００３２】
ＲＯＭ１３には、本計算装置１０の電子回路における全体の処理を司るシステムプログラムおよび各種の計算処理モードに対応した電卓処理プログラムが予め記憶されると共に、ユーザの学習年齢に応じて前記電卓処理プログラムによる計算機能を適切に制限制御するための学年別制御プログラム１３ａ、ユーザの学習年齢に応じた習熟度を判定するための習熟度判定問題１３ｂ（第２実施形態）などが予め記憶される。
【００３３】
なお、学年別制御プログラム１３ａには、図２に示すような学年別機能テーブルデータ１３atが含まれる。この学年別機能テーブルデータ１３atには、学校の各学年毎に新たに習得すべき計算の種類が当該学年（学習レベルＬｎ）において制限解除する計算機能として記述されるもので、例えば小学３年である場合には該３年以下の学習レベルＬ１，Ｌ２に記述された計算機能「＋」「−」「×」「÷」について制限解除され、４年以上の学習レベルＬ３，Ｌ４，Ｌ５に記述された計算機能「分数」「小数」「％計算」「π」「確率」について制限される。
【００３４】
そして、前記習熟度判定問題１３ｂは、例えば計算問題であり、小学３年用であれば加減乗除の計算問題、小学４年用であればこれに加えて分数や小数の計算問題となる。
【００３５】
ＲＡＭ１４には、キー入力された式データを記憶する入力式メモリ、計算処理中の数値データを一時記憶する計算メモリ、計算結果データを記憶する計算結果メモリ、液晶表示部１６に表示出力すべき表示データを記憶する表示メモリの他、生年月日メモリ１４ａ、習熟度フラグメモリ１４ｂ（第２実施形態）など、各種のデータメモリが備えられる。
【００３６】
生年月日メモリ１４ａには、キー入力されたユーザの生年月日が記憶される。
【００３７】
習熟度フラグメモリ１４ｂ（第２実施形態）には、ＲＯＭ１３に記憶された習熟度判定問題１３ｂに従って判定されたユーザの習熟度（学年レベル）Ｌ１〜Ｌ５に対応したフラグがセットされる。
【００３８】
次に、前記構成の電子式計算装置（電卓）１０の動作に伴う第１実施形態の学年別機能制限機能について説明する。
【００３９】
図４は、前記電子式計算機（電卓）１０による第１実施形態の学年別機能制限処理を示すフローチャートである。
【００４０】
本電子式計算機（電卓）１０の電源が投入されると、ＲＡＭ１４内の生年月日メモリ１４ａが読み込まれて生年月日のデータが登録されているか否か判断され（ステップＡ１）、当該生年月日メモリ１４ａに対し生年月日のデータが未登録であると判断された場合には、生年月日の入力要求画面が液晶表示部１６に表示される（ステップＡ１→Ａ２）。
【００４１】
この表示部１６に表示された生年月日の入力要求画面に従って、キー入力部１２の数値・データ入力キー１２ａの操作によりユーザの生年月日が入力されると、当該入力された生年月日のデータはＲＡＭ１４内の生年月日メモリ１４ａに記憶登録される（ステップＡ２）。
【００４２】
すると、前記生年月日メモリ１４ａに登録されたユーザの生年月日のデータと、電波時計部１５において更新管理されている現在の年月日データとに基づいて、ユーザ自身の年齢に対応する絶対時間が計算取得されると共に（ステップＡ３）、これにより取得されたユーザ自身の年齢からその学校における学年が割り出される（ステップＡ４）。
【００４３】
こうしてユーザの学年が割り出されると、割り出された学年まで（小学３年である場合には該小３まで）に対応して習得されるはずの計算（学習レベルＬ２）に対応した機能がＲＯＭ１３内の学年別制御プログラム１３ａ中に記憶されている学年別機能テーブル１３at（図２参照）に従い判断されて有効化設定される（ステップＡ５）。
【００４４】
そして、キー入力部１２におけるキー入力操作が検出されると（ステップＡ６）、当該キー入力の内容が前記ステップＡ５においてユーザの学年に応じて有効化設定された計算に対応する機能に含まれているか否か判断される（ステップＡ７）。
【００４５】
例えばユーザが小学３年である場合に「÷」キーが操作された場合には、有効なキーであることが判断され、当該キー入力に応じた処理が実行される（ステップＡ８）。
【００４６】
すると、電源オフになったか否か判断され（ステップＡ９）、電源オフとならない状態では、再びキー入力有無判断の待機状態となる（ステップＡ９→Ａ６）。
【００４７】
すなわち、ユーザの学年までに取得されるべき計算の機能に対応したキー入力操作が行われている状態では、順次当該キー入力操作に従った計算処理が実行されてその計算結果が液晶表示部１６に表示される。
【００４８】
一方、キー入力部１２におけるキー入力操作が検出された際に（ステップＡ６）、当該キー入力の内容がユーザの学年に応じて有効化設定された計算に対応する機能に含まれていないと判断された場合（ステップＡ７（Ｎｏ））、すなわち、例えばユーザが小学３年である場合に「ａ／ｂ（分数）」キーが操作された場合には、有効化設定された計算機能に対応するキーではないと判断され、当該操作キーに応じた処理への移行が阻止されると共に、該操作キー「ａ／ｂ（分数）」に対応付けられて配設されている無効キー表示ランプ１２e2が点灯され、キー操作の無効がユーザに報知される（ステップＡ１０）。
【００４９】
すなわち、ユーザの学年までに取得されていない計算の機能に対応したキー入力操作が行われた場合には、当該キー入力操作に従った計算処理は実行されることなく、キー入力が無効であることが無効キー表示ランプ１２e2の点灯表示によってユーザに知らされるようになり、ユーザの学習レベルでは容易に扱うことのできない計算機能が誤って起動されて混乱を招くのを未然に防止することができる。
【００５０】
したがって、前記構成の電子式計算機（電卓）１０の第１実施形態の学年別機能制限機能によれば、ユーザ入力されてＲＡＭ１４ａ内の生年月日メモリ１４ａに登録された生年月日データと電波時計部１５において更新管理される現在の年月日データとに基づき取得されたユーザの年齢から当該ユーザの学年が割り出されると共に、ＲＯＭ１３内の学年別制御プログラム１３ａ中に記憶されている学年別機能テーブル１３atに従ってユーザの学年までに学習される計算機能が有効化される。そして、有効化された計算機能以外の計算機能に対応するキー操作がなされた場合、つまりユーザの学年では未だ学習していない計算機能に対応するキー操作がなされた場合には、当該キー入力に応じた計算処理は実行されず、キー操作位置に対応して設けられた無効キー表示ランプ１２ｅが点灯され、当該キー操作が無効であることがユーザに報知されるので、ユーザに理解し得ない機能が実行されるのを阻止して操作に混乱を招くのを防止することができ、不慣れなユーザや初学者であっても余計な機能に惑わされることなく、容易且つ適切な計算操作を行うことが可能になる。
【００５１】
なお、前記電子式計算機（電卓）１０の第１実施形態における学年別機能制限機能では、ユーザの学年に対応して有効化された計算機能以外の無効な計算機能キーが入力操作された場合に、当該キーに隣接して設けた無効キー表示ランプ１２enを点灯させてキー操作無効であることをユーザに知らせる構成としたが、無効な計算機能キーに隣接して設けた無効キー表示ランプ１２enをキー入力の有無に関わらず常時点灯させることで、ユーザには扱い得ない計算機能キーを誤って操作してしまい混乱を招くのを事前に防止することができる。
【００５２】
また、前記電子式計算機（電卓）１０の第１実施形態における学年別機能制限機能では、ユーザの学年に対し、学年別機能テーブル１３atに記述されている各学年までに学習される計算機能の種類に基づき、ユーザの学習レベルＬ１〜Ｌ５を判断し、これに応じた計算機能を有効化、それ以上の計算機能を無効に設定する構成としたが、次の第２実施形態における学年別機能制限機能にて説明するように、ユーザの学年に応じた習熟度を問題の回答により判定して対応する計算機能の有効化または無効化を図る構成としてもよい。
【００５３】
（第２実施形態）
図５は、前記電子式計算機（電卓）１０による第２実施形態の学年別機能制限処理を示すフローチャートである。
【００５４】
本電子式計算機（電卓）１０の電源が投入されると、ＲＡＭ１４内の生年月日メモリ１４ａが読み込まれて生年月日のデータが登録されているか否か判断され（ステップＢ１）、当該生年月日メモリ１４ａに対し生年月日のデータが未登録であると判断された場合には、生年月日の入力要求画面が液晶表示部１６に表示される（ステップＢ１→Ｂ２）。
【００５５】
この表示部１６に表示された生年月日の入力要求画面に従って、キー入力部１２の数値・データ入力キー１２ａの操作によりユーザの生年月日が入力されると、当該入力された生年月日のデータはＲＡＭ１４内の生年月日メモリ１４ａに記憶登録される（ステップＢ２）。
【００５６】
すると、前記生年月日メモリ１４ａに登録されたユーザの生年月日のデータと、電波時計部１５において更新管理されている現在の年月日データとに基づいて、ユーザ自身の年齢に対応する絶対時間が計算取得されると共に（ステップＢ３）、これにより取得されたユーザ自身の年齢からその学校における学年が割り出される（ステップＢ４）。
【００５７】
こうしてユーザの学年が割り出されると、当該学年対応した習熟度フラグがＲＡＭ１４内の習熟度フラグメモリ１４ｂにセットされているか否か判断される（ステップＢ５）。
【００５８】
ここで、ユーザの学年対応した習熟度フラグが前記習熟度フラグメモリ１４ｂにセットされてないと判断された場合には、当該学年に対応した習熟度判定問題１３ｂがＲＯＭ１３から読み出され、液晶表示部１６に対して表示され出題される（ステップＢ５→Ｂ６）。
【００５９】
この液晶表示部１６に表示出題されたユーザの学年に対応する習熟度判定問題１３ｂに従って、キー入力部１２の数値・データ入力キー１２ａが操作され当該問題の回答が入力されると（ステップＢ７）、その回答が正解しているかあるいは正解率が一定以上であるかに応じてユーザの学年に相当する習熟度が備わっているか否か判断される（ステップＢ８）。
【００６０】
ここで、前記ユーザ入力された回答に応じて当該ユーザの学年に相当する習熟度が備わっていると判断された場合には、その学年の習熟度フラグがＲＡＭ１４ｂ内の習熟度フラグメモリ１４ｂにセットされる（ステップＢ８→Ｂ９）。
【００６１】
すると、当該ユーザの学年まで（小学３年である場合には該小３まで）に対応して習得されるはずの計算（学習レベルＬ１，Ｌ２）に対応した機能がＲＯＭ１３内の学年別制御プログラム１３ａ中に記憶されている学年別機能テーブル１３at（図２参照）に従い判断されて有効化設定され（ステップＢ１０）、この有効化された計算機能の範囲内でユーザによるキー入力操作に応じた処理が実行される（ステップＢ１１）。
【００６２】
すなわち、ユーザの学年までに取得されるべき計算の機能に対応した習熟度判定問題１３ｂにパスした場合には、当該学年に対応した計算機能の範囲内でキー入力操作に従った計算処理が実行されてその計算結果が液晶表示部１６に表示される。
【００６３】
一方、前記ステップＢ７において、ユーザの学年に対応する習熟度判定問題１３ｂに対しユーザ入力された回答に応じて、ステップＢ８において、当該ユーザの学年に相当する習熟度が備わっていないと判断された場合には、当該ユーザの学年の前学年まで（小学３年である場合にはその１級下の小２まで）に対応して習得されるはずの計算（学習レベルＬ１）に対応した機能がＲＯＭ１３内の学年別制御プログラム１３ａ中に記憶されている学年別機能テーブル１３at（図２参照）に従い判断されて有効化設定され（ステップＢ１２）、この有効化された前学年までの計算機能の範囲内でユーザによるキー入力操作に応じた処理が実行される（ステップＢ１１）。
【００６４】
すなわち、ユーザの学年までに取得されるべき計算の機能に対応した習熟度判定問題１３ｂにパスしなかった場合には、当該ユーザの学年より１級下の前学年に対応したユーザが理解できる計算機能の範囲内でキー入力操作に従った計算処理が実行されてその計算結果が液晶表示部１６に表示される。
【００６５】
したがって、前記構成の電子式計算機（電卓）１０の第２実施形態の学年別機能制限機能によれば、ユーザ入力されてＲＡＭ１４ａ内の生年月日メモリ１４ａに登録された生年月日データと電波時計部１５において更新管理される現在の年月日データとに基づき取得されたユーザの年齢から当該ユーザの学年が割り出されると共に、当該学年に対応した習熟度判定問題１３ｂが表示出題されて、ユーザがその学年において習得しているべき計算に習熟しているか否か判定される。そして、この習熟度判定問題１３ｂに対し入力された回答に応じて当該学年相当の計算習熟度があると判定された場合には、ＲＯＭ１３内の学年別制御プログラム１３ａ中に記憶されている学年別機能テーブル１３atに従ってユーザの学年までに学習される計算機能が有効化されてキー操作に応じた計算処理が実行され、一方、当該学年相当の計算習熟度がないと判定された場合には、ユーザの学年の前学年までに学習される計算機能が有効化されてキー操作に応じた計算処理が実行されるので、ユーザに理解し得ない計算機能が実行されるのを予め阻止して操作に混乱を招くのを防止することができ、不慣れなユーザや初学者であっても余計な機能に惑わされることなく、容易且つ適切な計算操作を行うことが可能になる。
【００６６】
なお、前記電子式計算機（電卓）１０の第２実施形態における学年別機能制限機能では、ユーザの計算習熟度に対応した計算機能を有効化し未習熟の計算機能を無効化して、ユーザが扱い得ない計算が誤って実行されて混乱を招くのを防止する構成としたが、前記第１実施形態における学年別機能制限機能において説明したように、無効な計算機能に対応するキーに隣接した設けた無効キー表示ランプ１２ｅを点灯させ、ユーザが扱い得ない計算機能キーが誤って操作されるのを未然防止する構成としてもよい。
【００６７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６８】
【図１】本発明の実施形態に係る電子式計算機（電卓）１０の電子回路の構成を示すブロック図。
【図２】前記電子式計算機（電卓）１０の計算機制御プログラムである学年別プログラム１３ａに含まれる学年別機能テーブル１３atの内容を示す図。
【図３】前記電子式計算機（電卓）１０の外観構成を示す正面図。
【図４】前記電子式計算機（電卓）１０による第１実施形態の学年別機能制限処理を示すフローチャート。
【図５】前記電子式計算機（電卓）１０による第２実施形態の学年別機能制限処理を示すフローチャート。
【符号の説明】
【００６９】
１０  …電子式計算機（電卓）
１１  …制御部（ＣＰＵ）
１２  …キー入力部
１２ａ…数値・データ入力キー
１２ｂ…演算子・記号キー
１２ｃ…「確率」キー
１２ｄ…「ＥＸＥ」キー
１２ｅ（１２e1〜１２e6）…無効キー表示ランプ
１３  …ＲＯＭ
１３ａ…学年別制御プログラム
１３at…学年別機能テーブル
１３ｂ…習熟度判定問題
１４  …ＲＡＭ
１４ａ…生年月日メモリ
１４ｂ…習熟度フラグメモリ
１５  …電波時計部
１６  …液晶表示部
【図１】
2006331283.tif 000003
【図２】
2006331283.tif 000004
【図３】
2006331283.tif 000005
【図４】
2006331283.tif 000006
【図５】
2006331283.tif 000007